(57)【要約】【課題】組み立てが容易なバーベキューグリル、及びバーベキューセットを提供する。【解決手段】発熱体としての炭を支持する底板部材１０と、底板部材１０の外縁から起立する前後一対の前後側壁部材２０，２０と、同様に、底板部材１０の外縁から起立する左右一対の左右側壁部材３０，３０と、からなり、底板部材１０、前後側壁部材２０、及び左右側壁部材３０がそれぞれ分離可能な別部材であるバーベキューグリル１は、組み立てが容易であり、洗浄も非常に容易で初心者でも取り扱いやすい。【選択図】図１
0003223631.tif 000002
【実用新案登録請求の範囲】
【請求項１】
外周に四辺を備えており、発熱体が乗載されることとなる底板部材、
及び、前記底板部材の四辺から上方へ向かって立ち上がる四個の側壁部材
を具備し、
前記四個の側壁部材は、前記底板部材を基準として、前後一対の前後側壁部材と、左右一対の左右側壁部材と、からなり、
前記底板部材、前記前後側壁部材、及び前記左右側壁部材がそれぞれ分離可能な別部材である
ことを特徴とするバーベキューグリル。
【請求項２】
前記前後側壁部材、及び前記左右側壁部材のうち一方が、１枚の平板を所定形状に切り抜いた形状であり、かつ上向きに突き出された引っ掛け爪部を備え、
前記前後側壁部材、及び前記左右側壁部材のうち他方に、前記引っ掛け爪部が挿入される引っ掛け爪部用挿通孔部が形成されている
請求項１に記載のバーベキューグリル。
【請求項３】
前記底板部材の四辺から起立した各側壁部材の上端部に、バーベキュー用の皿材又は網材が取り付けられる構成にあって、
前記底板部材において発熱体が乗載される部位に対応する底板面積に比べて、各側壁部材の上端部で囲繞された上端開口部に対応する開口面積の方が大きい
請求項１又は請求項２に記載のバーベキューグリル。
【請求項４】
請求項１乃至請求項３のいずれか１項に記載のバーベキューグリルを含むバーベキューセットであって、
前記バーベキューグリルを支持する脚部手段を備えた
ことを特徴とするバーベキューセット。
【考案の詳細な説明】
【技術分野】
【０００１】
本考案は、非力であったり熟達していなかったりするような初心者でも簡単に組み立てることができるバーベキューグリルに関する。
【背景技術】
【０００２】
従来、屋外で使用されるバーベキューグリルとしては、例えば特許文献１に開示されているような折り畳み式バーベキュー用コンロが提案されている。具体的にかかる構成は、使用時に組み立てることができ、使用しないときにはコンパクトに折り畳むことができる構造となっている。
【先行技術文献】
【特許文献】
【０００３】
【特許文献１】特開２０１３−１１１４６０号公報
【考案の概要】
【考案が解決しようとする課題】
【０００４】
しかしながら、従来の折り畳み式のバーベキューグリルにあっては、ヒンジ部分が洗浄しにくく、炭クズ等のゴミが取り切れないという問題があった。また、構造が複雑なため、組み立てに熟練を要するといった問題もあった。
【０００５】
本考案は、組み立てや掃除が容易で初心者でも簡単に使用できるバーベキューグリルを提供することを目的とする。
【課題を解決するための手段】
【０００６】
本考案は、外周に四辺を備えており、発熱体が乗載されることとなる底板部材、及び、前記底板部材の四辺から上方へ向かって立ち上がる四個の側壁部材を具備し、前記四個の側壁部材は、前記底板部材を基準として、前後一対の前後側壁部材と、左右一対の左右側壁部材と、からなり、前記底板部材、前記前後側壁部材、及び前記左右側壁部材がそれぞれ分離可能な別部材であることを特徴とするバーベキューグリルである。
【０００７】
かかる構成にあっては、前記底板部材、前記前後側壁部材、及び前記左右側壁部材が、それぞれ分離可能な別部材で構成されているため、非使用状態において各部材の洗浄が非常に容易となる。また、使用後の掃除においても、ヒンジ部分や角部などがないため炭クズなどが溜まってしまうことがない。また、底板部材を囲繞する外周部分を四個の側壁部材で構成するため、各側壁部材間の隙間により通風性を確保することができ、発熱体（例えば炭）の燃焼が効率良く行われるという利点がある。一方、この隙間は、使用後に掛け流した水の排出口として機能することになり、後片付けの負担が軽くなる利点がある。
【０００８】
また、前記前後側壁部材、及び前記左右側壁部材のうち一方が、１枚の平板を所定形状に切り抜いた形状であり、かつ上向きに突き出された引っ掛け爪部を備え、前記前後側壁部材、及び前記左右側壁部材のうち他方に、前記引っ掛け爪部が挿入される引っ掛け爪部用挿通孔部が形成されている構成が提案される。
【０００９】
かかる構成とすることにより、各部材の組み立て、及び洗浄が容易となると共に、収納時にコンパクトな形態となるため収納スペースをとらない利点がある。
【００１０】
また、前記底板部材の四辺から起立した各側壁部材の上端部に、バーベキュー用の皿材又は網材が取り付けられる構成にあって、前記底板部材において発熱体が乗載される部位に対応する底板面積に比べて、各側壁部材の上端部で囲繞された上端開口部に対応する開口面積の方が大きい構成が提案される。
【００１１】
かかる構成とすることにより、底板部材に乗せられた発熱体から発せられた熱線を皿材又は網材の直下で十分に拡充することができ、少ない容量の発熱体で広範囲で皿材又は網材を加熱することができる。
【００１２】
また、これまでに述べたバーベキューグリルを含むバーベキューセットであって、前記バーベキューグリルを支持する脚部手段を備えたことを特徴とするバーベキューセットが提案される。
【考案の効果】
【００１３】
本考案にかかるバーベキューグリルは、組み立てや洗浄が容易であるため初心者でも簡単に使用することができるという優れた効果がある。また、本考案にかかるバーベキューセットは、初心者でも手軽に楽しめる効果がある。
【図面の簡単な説明】
【００１４】
【図１】実施例にかかるバーベキューグリルを使用している状態を示す説明図である。
【図２】実施例にかかる底板部材を示し、（ａ）は正面図であり、（ｂ）は側面図である。
【図３】実施例にかかる前後側壁部材を示し、（ａ）は正面図であり、（ｂ）は側面図である。
【図４】実施例にかかる左右側壁部材の正面図である。
【図５】バーベキューグリルをテーブルに取り付けた状態を示す説明図である。
【考案を実施するための形態】
【００１５】
以下に本考案を具体化した実施例を詳細に説明する。なお、本考案は、下記に示す実施例に限定されることはなく、適宜、設計変更が可能である。
〔実施例〕
バーベキューグリル１は、図１に示すように、左右一対のテーブル板（脚部手段）４０，４０の間隙に配置されて使用される。
【００１６】
まず、バーベキューグリル１について詳述する。
バーベキューグリル１は、平板材を所定形状に折り曲げ加工した底板部材１０を備えている。この底板部材１０は、炭等の発熱体が乗載されて火元を支持するものであり、全体として、四辺を備えた平面視長方形状を有している。具体的に底板部材１０は、図２に示すように、平板状で長方形状の底部１１と、底部１１において対向する一組の長辺から起立した一対の縦壁部１２，１２と、これら一対の縦壁部１２，１２の上端からそれぞれ外側へ向かうように横方向に延びる段部１３と、段部１３から斜め上方へ延設されたテーパー部１４と、を備えている。なお、底部１１、縦壁部１２、段部１３、及びテーパー部１４は、それぞれ長方形状を有している。
【００１７】
また、底板部材１０の四辺のうち長辺に対応する部位には、別部材となる側壁部材２０，２０がそれぞれ立設されている。なお、便宜的に、一対の側壁部材２０，２０を前後一対の前後側壁部材２０，２０として以下説明する。
【００１８】
具体的に前後側壁部材２０は、図３に示すように、平板状で長方形状の前後側壁本体部２１と、前後側壁本体部２１の下端部から斜め下方に向かって延びる底板部材支持部２２と、前後側壁本体部２１の上端部から底板部材支持部２２とは反対側の斜め上方に向かって延びる網支持部２３と、網支持部２３の上端部から直角に曲がって上方へ向かって延びるフランジ部２４と、を備えている。そして、前後側壁本体部２１、底板部材支持部２２、網支持部２３、及びフランジ部２４は、それぞれ長方形状を有している。なお、前後側壁本体部２１の左右両端部には、後述する左右側壁部材３０の引っ掛け爪部３２が挿通される引っ掛け爪部用挿通孔部２５が貫通状にそれぞれ左右一対かつ上下２段で設けられている。
【００１９】
また、底板部材１０の四辺のうち短辺に対応する部位には、別部材である側壁部材３０，３０がそれぞれ立設されている。なお、便宜的に、一対の側壁部材３０，３０を左右一対の左右側壁部材３０，３０として以下説明する。
【００２０】
具体的に左右側壁部材３０は、図４に示すように、１枚の平板を所定形状に切り抜いた形状を有しており、略台形状に形成された左右側壁本体部３１と、左右側壁本体部３１の左右両端部から左右一対かつ上下２段で上向きに突き出された引っ掛け爪部３２と、を備えている。また、左右側壁本体部３１には、空気流通用貫通孔３３が複数設けられている。
【００２１】
次に、バーベキューグリル１の組み立て手順について説明する。
底板部材１０、前後側壁部材２０、及び左右側壁部材３０を用いてバーベキューグリル１を組立てる際には、まず前後側壁部材２０の引っ掛け爪部用挿通孔部２５に左右側壁部材３０の引っ掛け爪部３２を差し込む。これにより、一対の前後側壁部材２０，２０と、一対の左右側壁部材３０，３０とによって四角筒形状が形成される。
【００２２】
次いで上側から底板部材１０を落とし込んで底板部材１０のテーパー部１４を前後側壁部材２０の底板部材支持部２２によって下から支持する。これにより、全体が箱形状となり、バーベキューグリル１が組み立て完了となる。
【００２３】
そして、底板部材１０に直接又は間接的に炭等の火元を配すると共に、網材５０を前後側壁部材２０の網支持部２３によって下から支持させることで、簡単にバーベキューを楽しむことができる。なお、網材５０は、前後側壁部材２０に設けられたフランジ部２４によって脱落が防止されている。
【００２４】
ここで、底板部材１０、前後側壁部材２０、及び左右側壁部材３０がそれぞれ分離可能な別部材であるため、バーベキューグリル１の内外を連通する隙間が多く形成される。このため、空気流通用貫通孔３３以外にも、バーベキューグリル１内外の空気の流通が容易となり、火元に酸素が行き渡りやすく、十分な火力を得ることができる。
【００２５】
また、左右側壁部材３０は下底が短く上底が長い台形であり、底板部材１０における炭が置かれる底板面積に比べて、上端開口部の開口面積の方が大きい構造となっている。このため、火元の熱を網材５０に効率良く広範囲にわたって伝達させることができるため、例えば炭の量を減らすことが可能となる。
【００２６】
さらに、底板部材１０、前後側壁部材２０、及び左右側壁部材３０は、主要部が板形状をなしているため、炭等が溜まる部位が少なく、洗浄の手間がかからない利点がある。
【００２７】
また、バーベキューグリル１の組み立て作業は、引っ掛け爪部用挿通孔部２５に引っ掛け爪部３２を差し込んだ上で、底板部材１０を落とし込むだけでよいため、特別な工具等が不要である。また、非力な初心者でも容易に組立てることができる。
【００２８】
上記した実施例において、各部の寸法形状は適宜自由に選択可能である。
また、前後側壁部材２０及び左右側壁部材３０の幅は特に限定されず、例えば前後側壁部材２０よりも左右側壁部材３０の方が長幅であっても構わない。
また、前後側壁部材２０にも空気流通用の貫通孔が設けられていてもよい。
また、例えば前後側壁部材２０，２０に、箱状となったバーベキューグリル１を持ち運ぶためのハンドル部（取手部）がそれぞれ設けられていてもよい。このような構成とすることにより、使用時における持ち運びが容易となる。なお、ハンドル部（取手部）の取付位置は別の位置であっても勿論よい。
また、バーベキューグリル１とこれを支持する脚部手段としてのテーブル板４０付き脚部４１とが、バーベキューセットとして持ち運び可能に装備された構成としてもよい。
また、バーベキューセット６０として、ドリンクを置くためのミニテーブルや、照明器具としてのランプや、日よけとしてのパラソルなどが前記脚部に対して脱着自在な構造として装備されていてもよい。
【符号の説明】
【００２９】
１          バーベキューグリル
１０        底板部材
２０        前後側壁部材
２１        前後側壁本体部
２５        引っ掛け爪部用挿通孔部
３０        左右側壁部材
３２        引っ掛け爪部
４０        テーブル板（脚部手段）
４１        脚部（脚部手段）
５０        網材
６０        バーベキューセット
【図１】
0003223631.tif 000003
【図２】
0003223631.tif 000004
【図３】
0003223631.tif 000005
【図４】
0003223631.tif 000006
【図５】
0003223631.tif 000007